(57)【特許請求の範囲】
【請求項１】
圧縮機、室外熱交換器、および減圧器を有する室外機と、
室内熱交換器を有する室内機と、
上記圧縮機、上記室外熱交換器、上記減圧器、および上記室内熱交換器を配管接続して冷媒を循環させる冷凍サイクルと、
上記室内熱交換器の温度センサにより検知される凝縮温度に対して、上記室内機と上記室外機との間の渡り配管の耐圧値に対応する複数の設定値を設け、これら設定値のいずれかを指定するための操作手段と、
上記凝縮温度を上記操作手段の指定による設定値未満に抑制する制御手段と、
を具備したことを特徴とする空気調和機。
【請求項２】
上記冷媒は、ＨＦＣ冷媒等の高圧冷媒であることを特徴とする請求項１に記載の空気調和機。
【請求項３】
上記各設定値は、上記冷凍サイクルの配管として既設配管が未使用の場合に指定対象となる第２の設定値、およびこの第２の設定値より低く上記冷凍サイクルの配管として既設配管が使用される場合に指定対象となる第１の設定値、であることを特徴とする請求項１に記載の空気調和機。
【請求項４】
上記操作手段は、上記室外機の制御器、上記室内機の制御器、および上記室内機に付属のリモートコントロール式の操作器のうち、少なくとも１つに設けられていることを特徴とする請求項１に記載の空気調和機。
【請求項５】
上記制御手段は、互いに異なる設定値を有し上記冷凍サイクルの高圧側圧力が設定値以上になると作動する複数の高圧スイッチを備え、これら高圧スイッチのいずれかを上記操作手段の指定に応じて選択し、選択した高圧スイッチが作動した場合に冷媒の温度または圧力を抑制することを特徴とする請求項１に記載の空気調和機。
【請求項６】
上記各高圧スイッチのいずれかは、上記室外機におけるパックドバルブのサービスポートに取付けられていることを特徴とする請求項５に記載の空気調和機。
【請求項７】
上記制御手段は、上記冷凍サイクルの能力を低減する制御および上記圧縮機の運転を停止する制御の少なくとも１つにより、冷媒の温度または圧力を抑制することを特徴とする請求項１ないし請求項５のいずれかに記載の空気調和機。
【発明の詳細な説明】
【０００１】
【発明の属する技術分野】
この発明は、冷凍サイクルの配管接続について考慮した空気調和機に関する。
【０００２】
【従来の技術】
一般に、空気調和機は、室外機および室内機により構成されている。室外機は圧縮機、室外熱交換器、減圧器を有し、室内機は室内熱交換器を有しており、これら圧縮機、室外熱交換器、減圧器、および室内熱交換器が順次に配管接続されて冷凍サイクルが構成されている。
【０００３】
冷凍サイクルに充填される冷媒として、Ｒ２２冷媒があるが、最近、環境保護の観点から、オゾン破壊係数が零のＨＦＣ（水素元素を含んだフルオロカーボン）冷媒たとえばＲ４０７Ｃ冷媒（ＨＦＣ−３２、ＨＦＣ−１２５、ＨＦＣ１３４ａの混合冷媒）やＲ４１０Ａ冷媒（ＨＦＣ−３２が５０wt％、ＨＦＣ−１２５が５０wt％の混合冷媒）を使用した空気調和機が登場している。
【０００４】
ユーザがＲ２２冷媒使用の空気調和機からＨＦＣ冷媒使用の空気調和機に買い替える場合、部品の有効利用の観点から、それまで使用していた空気調和機の既設配管たとえば室外機と室内機との間のいわゆる渡り配管を、新しい空気調和機の渡り配管としてそのまま流用することが考えられる。
【０００５】
【発明が解決しようとする課題】
ところで、ＨＦＣ冷媒のうち、Ｒ４１０Ａ冷媒は、圧力がＲ２２冷媒に比べて約１．５倍と高いという特徴がある。
【０００６】
また、家庭用空調機の場合は使用する配管の径が細めであるのに対し、業務用空調機の場合は家庭用空調機よりも太い径の配管を使用するのが一般的である。冷媒配管には、管壁の厚さが同じであれば、管径が太いほど耐圧が低くなるという特徴がある。
【０００７】
したがって、元の空気調和機が家庭用であれば、新しい空気調和機が高圧のＲ４１０Ａ冷媒を使用していても、流用される渡り配管に耐圧面の問題は生じない。
【０００８】
ただし、元の空気調和機が業務用で、新しい空気調和機が高圧のＲ４１０Ａ冷媒を使用している場合には、流用される渡り配管が冷媒の圧力に耐えられなくなる可能性がある。とくに、定格冷房能力が１０ｋｗ以上の空気調和機の場合、冷媒の圧力が渡り配管の耐圧基準値を超えてしまう場合がある。
【０００９】
この発明は上記の事情を考慮したもので、その目的とするところは、使用する冷媒の圧力が高くても、耐圧面の問題を生じることなく、元の空気調和機の既設配管を適切に流用することができる空気調和機を提供することにある。
【００１０】
【課題を解決するための手段】
請求項１に係る発明の空気調和機は、圧縮機、室外熱交換器、および減圧器を有する室外機と、室内熱交換器を有する室内機と、上記圧縮機、上記室外熱交換器、上記減圧器、および上記室内熱交換器を配管接続して冷媒を循環させる冷凍サイクルと、上記室内熱交換器の温度センサにより検知される凝縮温度に対して、上記室内機と上記室外機との間の渡り配管の耐圧値に対応する複数の設定値を設け、これら設定値のいずれかを指定するための操作手段と、上記凝縮温度を上記操作手段の指定による設定値未満に抑制する制御手段とを備えている。
【００１１】
請求項２に係る発明の空気調和機は、請求項１に係る発明において、冷媒について限定している。冷媒は、ＨＦＣ冷媒等の高圧冷媒である。
【００１２】
請求項３に係る発明の空気調和機は、請求項１に係る発明において、各設定値について限定している。各設定値は、冷凍サイクルの配管として既設配管が未使用の場合に指定対象となる第２の設定値、およびこの第２の設定値より低く上記冷凍サイクルの配管として既設配管が使用される場合に指定対象となる第１の設定値である。
【００１３】
請求項４に係る発明の空気調和機は、請求項１に係る発明において、操作手段について限定している。操作手段は、室外機の制御器、室内機の制御器、および室内機に付属のリモートコントロール式の操作器のうち、少なくとも１つに設けられている。
【００１４】
請求項５に係る発明の空気調和機は、請求項１に係る発明において、制御手段について限定している。制御手段は、互いに異なる設定値を有し冷凍サイクルの高圧側圧力が設定値以上になると作動する複数の高圧スイッチを備え、これら高圧スイッチのいずれかを操作手段の指定に応じて選択し、選択した高圧スイッチが作動した場合に冷媒の温度または圧力を抑制する。
【００１５】
請求項６に係る発明の空気調和機は、請求項５に係る発明において、各高圧スイッチの取付けについて限定している。各高圧スイッチのいずれかは、室外機におけるパックドバルブのサービスポートに取付けられている。
【００１６】
請求項７に係る発明の空気調和機は、請求項１ないし請求項５のいずれかに係る発明において、制御手段について限定している。制御手段は、冷凍サイクルの能力を低減する制御および圧縮機の運転を停止する制御の少なくとも１つにより、冷媒の温度または圧力を抑制する。
【００１９】
【発明の実施の形態】
［１］以下、この発明の第１の実施形態について図面を参照して説明する。
【００２０】
図１において、室外機Ａは渡り配管接続用のパックドバルブ５，６を有し、室内機Ｂは渡り配管接続用のパックドバルブ３１，３３を有している。パックドバルブ５，３１間に渡り配管２１が接続され、パックドバルブ６，３３間に渡り配管２２が接続されている。渡り配管２１，２２としては、当該空気調和機が設置される以前に設置されていた古い空調機の既設配管がそのまま使用される場合もあるし、新しい配管が使用される場合もある。
【００２１】
室外機Ａでは、圧縮機１の冷媒吐出口に四方弁２を介して室外熱交換器３が配管接続され、その室外熱交換器３に減圧器たとえば電動膨張弁４を介して上記パックドバルブ５が配管接続されている。上記パックドバルブ６には、上記四方弁２を介して上記圧縮機１の冷媒吸込口が接続されている。圧縮機１の冷媒吐出口から冷媒吸込口にかけてバイパス配管７が接続され、そのバイパス配管７に二方弁８が設けられている。室外熱交換器３の近傍に、室外送風機９が配設されている。
【００２２】
１０は室外制御器で、後述の室内制御器４０と共に、当該空気調和機を制御する。この室外制御器１０に、設定値切替用の操作スイッチ（操作手段）１１が設けられている。さらに、室外制御器１０に、上記四方弁２、電動膨張弁４、二方弁８、室外送風機９、およびインバータ１２が接続されている。インバータ１２は、商用交流電源１３の電圧を整流し、それを室外制御器１０の指令に応じた周波数の交流に変換して出力する。この出力が圧縮機１の駆動電力となる。
【００２３】
室内機Ｂでは、上記パックドバルブ３１、３３間に室内熱交換器３２が配管接続されている。室内熱交換器３２の近傍に室内送風機３４が配設され、室内熱交換器３２に熱交換器温度センサ３５が取付けられている。
【００２４】
４０は室内制御器で、信号線２３により上記室内制御器４０に接続されている。この室内制御器４０に、設定値切替用の操作スイッチ（操作手段）４１が設けられている。さらに、室内制御器４０に、上記室内送風機３４および熱交換器温度センサ３５が接続されている。また、運転モードや設定室内温度などの各種運転条件を設定するためのリモートコントロール式の操作器（以下、リモコンと称す）４２が室内制御器４０に付属して設けられている。
【００２５】
これら室外機Ａおよび室内機Ｂにおける配管接続により、ヒートポンプ式冷凍サイクルが構成されている。そして、このヒートポンプ式冷凍サイクルには、高圧冷媒であるところのＨＦＣ（水素元素を含んだフルオロカーボン）冷媒たとえばＲ４１０Ａ冷媒（ＨＦＣ−３２が５０wt％、ＨＦＣ−１２５が５０wt％の混合冷媒）が充填されている。
【００２６】
冷房運転時およびドライ運転時は、図示実線矢印の方向に冷媒が流れ、室外熱交換器３が凝縮器、室内熱交換器３２が蒸発器として機能する。暖房運転時は、四方弁２が切換わることにより、図示破線矢印の方向に冷媒が流れ、室内熱交換器３２が凝縮器、室外熱交換器３が蒸発器として機能する。
【００２７】
つぎに、上記の構成の作用を図２のフローチャートを参照しながら説明する。
【００２８】
暖房運転時（ステップ１０１のＹＥＳ）、凝縮器として機能している室内熱交換器３２の温度（凝縮温度Ｔｃと称す）が熱交換器温度センサ３５で検知される（ステップ１０２）。そして、検知された凝縮温度Ｔｃに基づき、図３に示すレリース制御が実行される（ステップ１０３）。このレリース制御は、高圧側圧力Ｐｄの異常上昇を防止するためのもので、凝縮温度Ｔｃが上昇して領域Ｐに入るとインバータ１２の出力周波数Ｆを低減し（圧縮機１の回転数Ｎを減少）、この後、凝縮温度Ｔｃが下降して領域Ｑに入ると出力周波数Ｆをそのまま保持し、凝縮温度Ｔｃが領域Ｒまで下がったら出力周波数Ｆを空調負荷に応じて制御する（通常の暖房能力制御）。
【００２９】
冷房運転時あるいはドライ運転時は（ステップ１０１のＮＯ）、蒸発器として機能している室内熱交換器３２の温度（蒸発温度Ｔｅと称す）が熱交換器温度センサ３５で検知される（ステップ１１３）。そして、検知された蒸発温度Ｔｅに基づき、図４に示すレリース制御が実行される（ステップ１１４）。このレリース制御は、室内熱交換器３２の凍結を防止するためのもので、蒸発温度Ｔｅが下降して領域Ｐに入るとインバータ１２の出力周波数Ｆを低減し（圧縮機１の回転数Ｎを減少）、この後、蒸発温度Ｔｅが上昇して領域Ｑに入ると出力周波数Ｆをそのまま保持し、凝縮温度Ｔｃが領域Ｒまで上がったら出力周波数Ｆを空調負荷に応じて制御する（通常の冷房／ドライ能力制御）。
【００３０】
ところで、暖房運転時、高圧側圧力Ｐｄが上昇すると、渡り配管２１，２２に流れる冷媒の圧力も上昇する。この渡り配管２１，２２には耐圧値があり、その耐圧値よりいくらか低い冷媒圧力に対応する凝縮温度Ｔｃとして、第１の設定値Ｔｃｓ１および第２の設定値Ｔｃｓ２が定められている。第１の設定値Ｔｃｓ１は、当該冷凍サイクルの配管として既設配管が使用される場合に指定対象となる。第２の設定値Ｔｃｓ２は、当該冷凍サイクルの配管として既設配管が未使用の場合に指定対象となる。これら設定値にはＴｃｓ１＜Ｔｃｓ２の関係がある。また、設定値Ｔｃｓ１，Ｔｃｓ２は、室外制御器１０または室内制御器４０のメモリに記憶されており、操作スイッチ１１および操作スイッチ４１のいずれかの操作によって選択的に指定することができる。なお、指定状態を報知するための表示器たとえば発光ダイオードが室外制御器１０および室内制御器４０にそれぞれ設けられている。
【００３１】
当該空気調和機の据付に際し、渡り配管２１，２２が新たに設置されたものであれば、渡り配管２１，２２は高圧のＨＦＣ冷媒に対し十分な耐圧を有しているとの判断の下に、設定値Ｔｃｓ２が指定される。渡り配管２１，２２が元の空調機から流用された既設配管であれば、渡り配管２１，２２の耐圧がそれほど高くないとの判断の下に、設定値Ｔｃｓ１が指定される。
【００３２】
設定値Ｔｃｓ２が指定されている場合（ステップ１０４のＹＥＳ）、上記レリース制御にもかかわらず凝縮温度Ｔｃが異常上昇を続けて、図５に示すように凝縮温度Ｔｃが設定値Ｔｃｓ２以上の保護制御ゾーンに入ると（ステップ１０５のＹＥＳ）、二方弁８が開放される（ステップ１０６）。この開放により、圧縮機１から吐出される冷媒の一部がバイパス配管７を通って圧縮機１の吸込側（低圧側）に流れる。そして、この冷媒のバイパスにより、冷凍サイクルの能力が低減され、図６に示すように、高圧側圧力Ｐｄの上昇が抑制される。この抑制により、冷媒圧力が渡り配管２１，２２の耐圧基準値を超えてしまうことはなく、渡り配管２１，２２の破損が未然に防止される。
【００３３】
その後、凝縮温度Ｔｃが下降してＴｃｓ２未満、（Ｔｃｓ２−ΔＴ）以上の保持ゾーンに入ると、二方弁８の開放状態がそのまま保持される。凝縮温度Ｔｃが（Ｔｃｓ２−ΔＴ）未満の通常制御ゾーンまで下降すると（ステップ１０７のＹＥＳ）、二方弁８が閉成される（ステップ１０６）。
【００３４】
設定値Ｔｃｓ１が指定されている場合には（ステップ１０４のＮＯ）、図５に示すように、凝縮温度Ｔｃが設定値Ｔｃｓ１以上の保護制御ゾーンに入ったとき（ステップ１０９のＹＥＳ）、二方弁８が開放される（ステップ１１０）。この開放により、圧縮機１から吐出される冷媒の一部がバイパス配管７を通って圧縮機１の吸込側（低圧側）に流れる。そして、この冷媒のバイパスにより、冷凍サイクルの能力が低減され、図６に示すように、高圧側圧力Ｐｄの上昇が抑制される。この抑制により、たとえ高圧のＨＦＣ冷媒が充填されていても、冷媒圧力が渡り配管２１，２２の耐圧基準値を超えてしまうことはなく、渡り配管２１，２２の破損が未然に防止される。
【００３５】
その後、凝縮温度Ｔｃが下降してＴｃｓ１未満、（Ｔｃｓ１−ΔＴ）以上の保持ゾーンに入ると、二方弁８の開放状態がそのまま保持される。凝縮温度Ｔｃが（Ｔｃｓ１−ΔＴ）未満の通常制御ゾーンまで下降すると（ステップ１１１のＹＥＳ）、二方弁８が閉成される（ステップ１１２）。
【００３６】
以上のように、凝縮温度Ｔｃに対して２段階の設定値Ｔｃｓ１，Ｔｃｓ２を設け、これら設定値のいずれかを操作スイッチ１１または操作スイッチ４１の操作に応じて選択的に指定し、その指定した設定値に基づいて高圧側圧力Ｐｄの抑制を行うことにより、たとえ高圧のＨＦＣ冷媒が使用されても、耐圧面の問題を生じることなく、元の空気調和機の既設配管を渡り配管２１，２２として適切に流用することができる。この流用により、部品の有効活用およびコストの低減が図れる。
【００３７】
なお、本実施形態では、冷凍サイクルの能力を低減する手段として二方弁８を開放したが、それに代えて、図７に示すように、圧縮機１の回転数Ｎ（運転周波数Ｆ）を低減する制御、室外送風機９の回転数を低減する制御、電動膨張弁４の開度を増大する制御のいずれかを実行してもよく、同様に冷凍サイクルの能力を低減することができる。この場合、制御の実行にかかわらず高圧側圧力Ｐｄの抑制ができなければ、圧縮機１の運転をオフするようにしてもよい。
【００３８】
設定値切替用の操作スイッチについては、室外制御器１０と室内制御器４０に限らずリモコン４２に設けてもよく、要は室外制御器１０、室内制御器４０、リモコン４２の少なくとも１つに設ければよい。
【００３９】
［２］第２の実施形態について説明する。
【００４０】
図８に示すように、バイパス配管７および二方弁８が除去されるとともに、圧縮機１の冷媒吐出口と四方弁２との間の高圧側配管に高圧側圧力Ｐｄに応動する第１の高圧スイッチＰ１および第２の高圧スイッチＰ２が取付けられ、これら高圧スイッチＰ１，Ｐ２が室外制御器１０に接続されている。
【００４１】
高圧スイッチＰ１は、高圧側圧力Ｐｄが第１の設定値Ｐｄ１以上になるとオン（作動）し、その後、高圧側圧力Ｐｄが（Ｐｄ１−ΔＰ）未満に下がるとオフ（復帰）するもので、当該冷凍サイクルの配管として既設配管が使用される場合に指定対象となる。高圧スイッチＰ２は、高圧側圧力Ｐｄが第２の設定値Ｐｄ２以上になるとオン（作動）し、その後、高圧側圧力Ｐｄが（Ｐｄ２−ΔＰ）未満に下がるとオフ（復帰）するもので、当該冷凍サイクルの配管として既設配管が未使用の場合に指定対象となる。両設定値にはＰｄ１＜Ｐｄ２の関係がある。
【００４２】
他の構成は第１の実施形態と同じであり、その説明については省略する。
【００４３】
つぎに、図９のフローチャートを参照しながら作用について説明する。
【００４４】
暖房運転時（ステップ２０１のＹＥＳ）、凝縮温度Ｔｃが熱交換器温度センサ３５で検知される（ステップ２０２）。そして、検知された凝縮温度Ｔｃに基づき、図３に示したレリース制御が実行される（ステップ２０３）。冷房運転時あるいはドライ運転時は（ステップ２０１のＮＯ）、蒸発温度Ｔｅが熱交換器温度センサ３５で検知される（ステップ２１３）。そして、検知された蒸発温度Ｔｅに基づき、図４に示したレリース制御が実行される（ステップ２１４）。
【００４５】
ところで、暖房運転時、高圧側圧力Ｐｄが上昇すると、渡り配管２１，２２に流れる冷媒の圧力も上昇する。この渡り配管２１，２２には耐圧値があり、その耐圧値よりいくらか低い冷媒圧力に対応する高圧側圧力Ｐｄとして、高圧スイッチＰ１の作動点である第１の設定値Ｐｄ１、および高圧スイッチＰ２の作動点である第２の設定値Ｐｄ２が定められている。これら高圧スイッチＰ１，Ｐ２は、操作スイッチ１１および操作スイッチ４１のいずれかの操作によって選択的に指定することができる。なお、指定状態を報知するための表示器たとえば発光ダイオードが室外制御器１０および室内制御器４０にそれぞれ設けられている。
【００４６】
当該空気調和機の据付に際し、渡り配管２１，２２が新たに設置されたものであれば、渡り配管２１，２２は高圧のＨＦＣ冷媒に対し十分な耐圧を有しているとの判断の下に、高圧スイッチＰ２が指定される。渡り配管２１，２２が元の空調機から流用された既設配管であれば、渡り配管２１，２２は耐圧がそれほど高くないとの判断の下に、高圧スイッチＰ１が指定される。
【００４７】
高圧スイッチＰ２が指定されている場合（ステップ２０４のＹＥＳ）、上記レリース制御にもかかわらず高圧側圧力Ｐｄが異常上昇を続けて高圧スイッチＰ２がオンすると（ステップ２０５のＹＥＳ）、圧縮機１の運転がオフ（停止）される（ステップ２０６）。圧縮機１がオフすると、高圧側圧力Ｐｄの上昇が強制的に抑制される。この抑制により、冷媒圧力が渡り配管２１，２２の耐圧基準値を超えてしまうことはなく、渡り配管２１，２２の破損が未然に防止される。
【００４８】
その後、高圧側圧力Ｐｄの下降によって高圧スイッチＰ１がオフすると（ステップ２０７のＹＥＳ）、圧縮機１の運転オン（起動）が許容される（ステップ２０８）。
【００４９】
高圧スイッチＰ１が指定されている場合（ステップ２０４のＮＯ）、その高圧スイッチＰ１がオンすると（ステップ２０９のＹＥＳ）、圧縮機１の運転がオフされる（ステップ２１０）。圧縮機１がオフすると、高圧側圧力Ｐｄの上昇が強制的に抑制される。この抑制により、たとえ高圧のＨＦＣ冷媒が充填されていても、冷媒圧力が渡り配管２１，２２の耐圧基準値を超えてしまうことはなく、渡り配管２１，２２の破損が未然に防止される。
【００５０】
その後、高圧側圧力Ｐｄの下降によって高圧スイッチＰ１がオフすると（ステップ２１１のＹＥＳ）、圧縮機１の運転オンが許容される（ステップ２１２）。
【００５１】
以上のように、互いに設定値が異なる２つの高圧スイッチＰ１，Ｐ２を設け、これら高圧スイッチのいずれかを操作スイッチ１１または操作スイッチ４１の操作に応じて選択的に指定し、その指定した高圧スイッチのオン，オフに基づいて高圧側圧力Ｐｄの抑制を行うことにより、たとえ高圧のＨＦＣ冷媒が使用されても、耐圧面の問題を生じることなく、元の空気調和機の既設配管を渡り配管２１，２２として適切に流用することができる。この流用により、部品の有効活用およびコストの低減が図れる。
【００５２】
なお、図１０に示すように、高圧スイッチＰ１，Ｐ２のいずれか一方をパックドバルブ６における冷媒補充用のサービスポート６ａに取付ける構成としても同様に実施可能である。
【００５３】
また、本実施形態では、凝縮温度Ｔｃに基づくレリース制御を行うようにしているが、圧縮機１の吐出冷媒温度Ｔｄを凝縮温度Ｔｃから推定し、その推定した吐出冷媒温度Ｔｄに基づくレリース制御を行う構成としてもよい。
【００５４】
ただし、レリース制御については必ずしも行う必要はなく、高圧スイッチＰ１，Ｐ２のいずれかの作動のみで高圧側圧力Ｐｄの抑制を行う構成としてもよい。
【００５５】
設定値切替用の操作スイッチについては、室外制御器１０と室内制御器４０に限らずリモコン４２に設けてもよく、要は室外制御器１０、室内制御器４０、リモコン４２の少なくとも１つに設ければよい。
【００５６】
［３］第３の実施形態について説明する。
【００５７】
図１１に示すように、圧縮機１の冷媒吐出口と四方弁２との間の高圧側配管に圧力センサＰ３が取付けられ、この圧力センサＰ３が室外制御器１０に接続されている。他の構成は第２の実施形態と同じである。
【００５８】
作用について図１２のフローチャートにより説明する。
【００５９】
暖房運転時（ステップ３０１のＹＥＳ）、凝縮温度Ｔｃが熱交換器温度センサ３５で検知される（ステップ３０２）。そして、検知された凝縮温度Ｔｃに基づき、図３に示したレリース制御が実行される（ステップ３０３）。冷房運転時あるいはドライ運転時は（ステップ３０１のＮＯ）、蒸発温度Ｔｅが熱交換器温度センサ３５で検知される（ステップ３１３）。そして、検知された蒸発温度Ｔｅに基づき、図４に示したレリース制御が実行される（ステップ３１４）。
【００６０】
ところで、暖房運転時、高圧側圧力Ｐｄが上昇すると、渡り配管２１，２２に流れる冷媒の圧力も上昇する。この渡り配管２１，２２には耐圧値があり、その耐圧値よりいくらか低い冷媒圧力に対応する高圧側圧力Ｐｄとして、第１の設定値Ｐｄｓ１および第２の設定値Ｐｄｓ２が定められている。第１の設定値Ｐｄｓ１は、当該冷凍サイクルの配管として既設配管が使用される場合に指定対象となる。第２の設定値Ｐｄｓ２は、当該冷凍サイクルの配管として既設配管が未使用の場合に指定対象となる。これら設定値にはＰｄｓ１＜Ｐｄｓ２の関係がある。また、これら設定値Ｐｄｓ１，Ｐｄｓ２は、室外制御器１０または室内制御器４０のメモリに記憶されており、操作スイッチ１１および操作スイッチ４１のいずれかの操作によって選択的に指定することができる。なお、指定状態を報知するための表示器たとえば発光ダイオードが室外制御器１０および室内制御器４０にそれぞれ設けられている。
【００６１】
当該空気調和機の据付に際し、渡り配管２１，２２が新たに設置されたものであれば、渡り配管２１，２２は高圧のＨＦＣ冷媒に対し十分な耐圧を有しているとの判断の下に、設定値Ｐｄｓ２が指定される。渡り配管２１，２２が元の空調機から流用された既設配管であれば、渡り配管２１，２２の耐圧がそれほど高くないとの判断の下に、設定値Ｐｄｓ１が指定される。
【００６２】
設定値Ｐｄｓ２が指定されている場合（ステップ３０４のＹＥＳ）、上記レリース制御にもかかわらず圧力センサＰ３の検知圧力（高圧側圧力）Ｐｄが異常上昇を続けて設定値Ｐｄｓ２以上の保護制御ゾーンに入ると（ステップ３０５のＹＥＳ）、圧縮機１がオフされる（ステップ３０６）。圧縮機１がオフすると、高圧側圧力Ｐｄの上昇が強制的に抑制される。この抑制により、冷媒圧力が渡り配管２１，２２の耐圧基準値を超えてしまうことはなく、渡り配管２１，２２の破損が未然に防止される。
【００６３】
その後、検知圧力Ｐｄが下降してＰｄｓ２未満、（Ｐｄｓ２−ΔＰ）以上の保持ゾーンに入ると、圧縮機１のオフ状態がそのまま保持される。検知圧力Ｐｄが（Ｐｄｓ２−ΔＰ）未満の通常制御ゾーンまで下降すると（ステップ３０７のＹＥＳ）、圧縮機１のオンが許容される（ステップ３０８）。
【００６４】
設定値Ｐｄｓ１が指定されている場合には（ステップ３０４のＮＯ）、検知圧力Ｐｄが設定値Ｐｄｓ１以上の保護制御ゾーンに入ったとき（ステップ３０９のＹＥＳ）、圧縮機１がオフされる（ステップ３１０）。圧縮機１がオフすると、検知圧力Ｐｄの上昇が強制的に抑制される。この抑制により、たとえ高圧のＨＦＣ冷媒が充填されていても、冷媒圧力が渡り配管２１，２２の耐圧基準値を超えてしまうことはなく、渡り配管２１，２２の破損が未然に防止される。
【００６５】
その後、凝縮温度Ｔｃが下降してＰｄｓ１未満になっても、検知圧力Ｐｄが（Ｐｄｓ１−ΔＰ）以上の保持ゾーンにある場合は、圧縮機１のオフ状態がそのまま保持される。検知圧力Ｐｄが（Ｐｄｓ１−ΔＰ）未満の通常制御ゾーンまで下降すると（ステップ３１１のＹＥＳ）、圧縮機１のオンが許容される（ステップ３１２）。
【００６６】
以上のように、高圧側圧力Ｐｄに対して２段階の設定値Ｐｄｓ１，Ｐｄｓ２を設け、これら設定値のいずれかを操作スイッチ１１または操作スイッチ４１の操作に応じて選択的に指定し、その指定した設定値に基づいて高圧側圧力Ｐｄの抑制を行うことにより、たとえ高圧のＨＦＣ冷媒が使用されても、耐圧面の問題を生じることなく、元の空気調和機の既設配管を渡り配管２１，２２として適切に流用することができる。この流用により、部品の有効活用およびコストの低減が図れる。
【００６７】
なお、本実施形態では、凝縮温度Ｔｃに基づくレリース制御を行うようにしているが、圧縮機１の吐出冷媒温度Ｔｄを凝縮温度Ｔｃあるいは圧力センサＰ３の検知圧力Ｐｄから推定し、その推定した吐出冷媒温度Ｔｄに基づくレリース制御を行う構成としてもよい。
【００６８】
ただし、レリース制御については必ずしも行う必要はなく、高圧スイッチＰ１，Ｐ２のいずれかの作動のみで高圧側圧力Ｐｄの抑制を行う構成としてもよい。
【００６９】
設定値切替用の操作スイッチについては、室外制御器１０と室内制御器４０に限らずリモコン４２に設けてもよく、要は室外制御器１０、室内制御器４０、リモコン４２の少なくとも１つに設ければよい。
【００７０】
【発明の効果】
以上述べたようにこの発明によれば、使用する冷媒の圧力が高くても、耐圧面の問題を生じることなく、元の空気調和機の既設配管を適切に流用することができる空気調和機を提供できる。
【図面の簡単な説明】
【図１】第１の実施形態の全体的な構成を示す図。
【図２】第１の実施形態の作用を説明するためのフローチャート。
【図３】各実施形態の暖房運転時のレリース制御を説明するためのフローチャート。
【図４】各実施形態の冷房／ドライ運転時のレリース制御を説明するためのフローチャート。
【図５】第１の実施形態における凝縮温度と制御ゾーンとの関係を示す図。
【図６】第１の実施形態における高圧側圧力の変化、凝縮温度の変化、二方弁の動作の関係を示す図。
【図７】第１の実施形態の変形例における高圧側圧力の変化、凝縮温度の変化、回転数の変化の関係を示す図。
【図８】第２の実施形態の全体的な構成を示す図。
【図９】第２の実施形態の作用を説明するためのフローチャート。
【図１０】第２の実施形態の変形例の構成を示す図。
【図１１】第３の実施形態の全体的な構成を示す図。
【図１２】第３の実施形態の作用を説明するためのフローチャート。
【符号の説明】
１…圧縮機、２…四方弁、３…室外熱交換器、４…電動膨張弁（減圧器）、５，６…パックドバルブ、７…バイパス配管、８…二方弁、９…室外送風機、１０…室外制御器、１１…操作スイッチ、２１，２２…渡り配管、３１，３３…パックドバルブ、３２…室内熱交換器、３５…熱交換器温度センサ、４０…室内制御器、４１…操作スイッチ、４２…リモコン
【図１】
0004437868.tif 000002
【図２】
0004437868.tif 000003
【図３】
0004437868.tif 000004
【図４】
0004437868.tif 000005
【図５】
0004437868.tif 000006
【図６】
0004437868.tif 000007
【図７】
0004437868.tif 000008
【図８】
0004437868.tif 000009
【図９】
0004437868.tif 000010
【図１０】
0004437868.tif 000011
【図１１】
0004437868.tif 000012
【図１２】
0004437868.tif 000013